(57)【特許請求の範囲】
【請求項１】
前面が開放した家電収納用の棚と、この棚内に備えられた給電用の電源コンセントと、この棚の開放した前面を閉鎖し得るシャッターと、を含んでいる家電収納キャビネットであって、
上記電源コンセントに接続された家電製品の使用を検出する家電使用検出手段と、
上記シャッターを開閉する駆動手段と、
上記家電使用検出手段が家電製品の使用を検出したとき、上記駆動手段を作動させて上記シャッターを開放する制御手段と、
を設けたことを特徴とする、家電収納キャビネット。
【請求項２】
前記制御手段が、シャッター閉鎖を確認したときにのみ前記駆動手段を作動させて前記シャッターを開放することを特徴とする、請求項１に記載の家電収納キャビネット。
【請求項３】
シャッター開放を警告する警告手段を備えており、
前記制御手段が前記駆動手段の作動により前記シャッターを開放する前に、上記警告手段を作動させてシャッター開放を警告することを特徴とする、請求項１又は２に記載の家電収納キャビネット。
【発明の詳細な説明】
【技術分野】
【０００１】
本発明は、システムキッチン等における家電収納キャビネットに係り、特に使用時に水蒸気を発生するような家電製品を収納する家電収納棚を備えたシャッター付き家電収納キャビネットに関する。
【背景技術】
【０００２】
従来の家電収納キャビネット１は、図７及び図８に示すように、左右一対の側板２ａ，２ｂと、天板３，底板４及び背板５と、これら天板３と底板４との間で適当な間隔を有して配設された複数の棚板６と、から構成されており、互いに組み付けられることにより、前面が開放した複数段、図示の場合、四段の棚Ａを画成している。なお、底板４は、その下方に配置された台輪４ａにより僅かに浮き上がった状態に配置されている。
【０００３】
ここで、棚Ａのうち、最上段の棚Ａ１及び最下段の棚Ａ４は、例えば食器類や台所用品などを収納する通常の収納棚として構成されており、必要に応じて前面を閉鎖するための扉や引き戸などが備えられている。図示の実施形態では、最下段の棚Ａ４のみが扉Ａ４ａを備えている。
【０００４】
これに対して、中間の二段の棚Ａ２，Ａ３は、それぞれ電子レンジやコーヒーメーカーの収納用、そして電気ポットや電気炊飯器を収納するための家電収納棚として構成されている。中間の棚のうち下から二段目の棚Ａ３には、電気ポットや電気炊飯器の使用時に発生する水蒸気を外部へ排出するように、送風装置７が後端に配置されている。
【０００５】
この送風装置７は、図８に示すように、背板５に対して前側で平行に配置された遮蔽板７ａと、この遮蔽板７ａの裏側に配設された送風ファン７ｂと、この送風ファン７ｂを回転駆動するモータ（図示せず）と、から構成されている。遮蔽板７ａは上下端に全幅に亘って前方に開放した通気用の間隙を有しており、上記送風ファン７ｂはこの遮蔽板７ａの裏側に画成された空間の下方に配置されていて、送風ファン７ｂがモータにより回転駆動されると、送風ファン７ｂが上方に向かって空気を送出するとともに、棚Ａ３内から遮蔽板７ａの下方の間隙を介して空気を吸引し、遮蔽板７ａの上方の間隙を介して棚Ａ３内に、そして棚Ａ３から外部へ空気を送出するようになっている。
【０００６】
さらに、中間の二段の棚Ａ２，Ａ３には、それぞれ内部の後端面に、給電用の電源コンセント８ａ，８ｂが設けられている。これらの電源コンセント８ａ，８ｂは、外部の電源、例えば一般商用電源に接続されて常時給電されており、これらの電源コンセント８ａ，８ｂに、使用すべき電子レンジ，電気ポット，電気炊飯器等の家電製品の電源コードを接続することで、これらの家電製品がいつでも使用できるようになっている。
そして、特に棚Ａ３内の電源コンセント８ｂにて、家電製品の電源オンにより所定値以上の電流が流れたとき、これを検知して送風装置７が作動するようになっている。
【０００７】
このように、家電収納キャビネット１においては、家電製品の使用時、特に水蒸気が発生するような電気ポット，コーヒーメーカー，電気炊飯器などの家電製品の使用時には、送風装置７を自動的に作動させることで、家電製品から発生する水蒸気を棚Ａ３から外部へ排出し、これにより棚Ａ３内における結露やカビの発生を防止するようにしている。
この種の家電収納キャビネットが特許文献１に開示されている。
【０００８】
しかしながら、このような家電収納キャビネット１においては、特に家電製品を収納するための棚Ａ２，Ａ３は前面が開放していることから、内部に収納している電子レンジ，電気ポット，電気炊飯器等の家電製品が露出し、雑然とした外観になってしまう。このため、例えば来客時等にあっては、棚Ａ２，Ａ３の前面もシャッターや扉などで覆って、内部を見えなくするようにしたいという要望がある。
【０００９】
ところが、棚Ａ２，Ａ３、特に棚Ａ３が閉じられた状態で、内部に収納された家電製品が使用されると、使用に伴って水蒸気が発生することになり、この水蒸気が当該棚Ａ３内に溜ってしまうので、内部で結露が発生したり、場合によってはカビが発生することがある。
【００１０】
特許文献２には、家電収納用の前面が開放した棚をドア体により開閉可能に備えると共に、このドア体の閉鎖時における裏面側近傍に電源コンセントを設けたキャビネットが開示されている。この特許文献２によるキャビネットでは、ドア体の閉鎖時に、家電製品を使用できないようにするために、ドア体の閉鎖位置の裏面側近傍に電源コンセントを設けることで、家電製品の電源コードを電源コンセントに挿入した状態ではドア体が閉鎖できないようにし、ドア体の閉鎖時に、家電製品を使用して棚内部に水蒸気が溜ってしまうことがないように図っている。
【特許文献１】特開２００４−２７５２４６号公報
【特許文献２】特開平０９−０８４６４３号公報
【発明の開示】
【発明が解決しようとする課題】
【００１１】
しかしながら、特許文献２のキャビネットにおいては、来客時等においてドア体を閉鎖することで、雑然とした棚内部を隠蔽することは可能ではあるが、ドア体を閉鎖する度に、家電製品の電源コードを電源コンセントから外すことが必要となり、操作が煩雑になってしまう。
【００１２】
本発明は以上の点に鑑み、簡単な構成により、家電製品の使用時にはシャッターの閉鎖を回避するようにした家電収納キャビネットを提供することを目的としている。
【課題を解決するための手段】
【００１３】
上記目的を達成するために、本発明の家電収納キャビネットは、前面が開放した家電収納用の棚と、この家電収納用の棚内に備えられた給電用の電源コンセントと、この棚の開放した前面を閉鎖し得るシャッターとを具備するとともに、電源コンセントに接続された家電製品の使用を検出する家電使用検出手段と、シャッターを開閉する駆動手段と、家電使用検出手段が家電製品の使用を検出したとき駆動手段を作動させてシャッターを開放する制御手段と、を設けたことを特徴としている。
【００１４】
上記制御手段は、好ましくは、シャッター閉鎖を確認したときにのみ上記駆動手段を作動させてシャッターを開放するよう構成される。
【００１５】
本発明の家電収納キャビネットは、好ましくは、シャッター開放を警告する警告手段を備えており、上記制御手段が上記駆動手段の作動によりシャッターを開放する前に警告手段を作動させてシャッター開放を警告する。
【発明の効果】
【００１６】
上記構成によれば、電源コンセントを備えた棚に収納され、当該棚の電源コンセントに接続された家電製品の電源が投入され使用されると、家電使用検出手段が当該家電製品の使用を検出する。これにより、制御手段が駆動手段を作動させてシャッターを開放する。従って、使用者の不注意によりシャッターを閉鎖した状態で、当該棚に収納された家電製品を使用したときシャッターが自動的に開放されるので、家電使用状態におけるシャッターの閉鎖が回避される。
【００１７】
このようにして、棚内に収納された家電製品の使用時にあってはシャッターの閉鎖が回避され得るので、シャッターが閉じた状態でその棚内に収納された家電製品を使用して水蒸気が内部に溜ってしまうようなことはない。
【００１８】
制御手段がシャッター閉鎖を確認したときにのみ駆動手段を作動させてシャッターを開放する場合には、家電製品の使用が開始されたとき、シャッター開放前に制御手段がシャッター開放を確認するので、シャッター開放状態でさらにシャッターを開放するように駆動手段が作動するのが防止される。
【００１９】
制御手段が駆動手段の作動によりシャッターを開放する前に警告手段を作動させてシャッター開放を警告する場合には、家電製品の使用が開始されたとき、シャッター開放前に制御手段が警告手段によりシャッター開放を警告するので、いきなりシャッターが開放することがなく、使用者は事前にシャッター開放を知ることができる。
【００２０】
本発明によれば、シャッター閉鎖状態での家電製品の使用が確実に防止されることになり、シャッターが閉じた状態で、その棚内に収納された家電製品の使用により水蒸気が内部に溜ってしまう事態を防止することができる。
【発明を実施するための最良の形態】
【００２１】
以下、図面を参照しつつ、背景技術と同一または対応する部材には同一符号を用いて、本発明を詳細に説明する。
［第一の実施の形態］
図１及び図２は本発明による家電収納キャビネットの第一の実施形態の構成を示している。これらの図において、家電収納キャビネット１０は、例えばシステムキッチンに組み込まれて使用され、左右一対の側板１１ａ，１１ｂと、天板１２，底板１３及び背板１４と、複数の棚板１５と、から構成されており、互いに組み付けられることで、前面が開放した複数段、図示の場合、四段の棚Ａと、後述するシャッター収納部１６ｃと、を画成している。なお、底板１３は、その下方に配置された台輪１３ａにより僅かに浮き上がった状態に配置されている。
【００２２】
さらに、この家電収納キャビネット１０は、棚Ａのうち、上方の三つの棚Ａ１，Ａ２，Ａ３の開放した前面を閉鎖し得ると共に、上方へ退避可能なシャッター１６と、シャッター開閉制御装置２０（図２参照）と、を備えている。また、最下段の棚Ａ４は、例えば食器類や台所用品などを収納する通常の収納棚として構成されており、図示の場合、前面を閉鎖するための扉１７を備えている。
【００２３】
これに対して、中間の二段の棚Ａ２，Ａ３は、それぞれ電子レンジやコーヒーメーカーの収納用、そして電気ポット，電気炊飯器，オーブントースター等の使用時に水蒸気を発生する家電製品を収納するための家電収納棚として構成されている。下から二段目の棚Ａ３の後端には、図２に示すように上述した特許文献１に記載の送風装置７が配置されている。
【００２４】
さらに、中間の二段の棚Ａ２，Ａ３には、それぞれ内部の後端面、即ち棚Ａ２では背板１４の前面、棚Ａ３では遮蔽板７ａの前面の所定位置に、それぞれ給電用の電源コンセント１９ａ，１９ｂが設けられている。なお、これらの電源コンセント１９ａ，１９ｂは、それぞれ側板１１ａまたは１１ｂの内面に設けてもよい。
【００２５】
これらの電源コンセント１９ａ，１９ｂは、外部の電源、例えば一般商用電源に接続されて給電されるようになっており、これらの電源コンセント１９ａ，１９ｂに、棚Ａ２，Ａ３内に収納される電子レンジ，電気ポット，電気炊飯器等の家電製品の電源コードを接続することでこれらの家電製品が使用される。そして、各電源コンセント１９ａ，１９ｂには、それぞれ接続された家電製品の使用を検出する家電使用検出手段としての家電使用センサ１９ｃ，１９ｄが設けられている。特に棚Ａ３内の電源コンセント１９ｂにおいては、家電製品使用時に家電使用センサ１９ｄがその使用状態を検知して、送風装置７が自動的に作動するようになっている。
【００２６】
家電使用センサ１９ｃ，１９ｄは、それぞれ例えば電流センサとして構成されており、家電製品の電源オンにより電源コンセント１９ａまたは１９ｂに所定値以上の電流が流れたとき、これを検出する。
【００２７】
シャッター１６は、棚Ａのうち、上方の三つの棚Ａ１，Ａ２，Ａ３の前面を閉鎖し得るように、上方へ退避可能に構成されている。具体的には、シャッター１６は、横方向に細長く延びるシャッター部材１６ａが上下に多数連結されることにより構成されていると共に、下端１６ｂが比較的剛性のある部材から構成されている。
【００２８】
このシャッター１６は、その両側縁が側板１１ａ，１１ｂの内側の前縁付近に設けられたガイド溝１１ｃ，１１ｄ内に沿って上下方向に案内されると共に、棚Ａ１の上方に設けられたシャッター収納部１６ｃ内に渦巻き状に折り畳んだ状態で収納される。
【００２９】
シャッター１６は、シャッター収納部１６ｃ内に収容された駆動手段としてのモータ１６ｄにより駆動されて、開閉される。そして、シャッター１６は、モータ１６ｄにより下方に移動されることで、図３に示すように各棚Ａ１，Ａ２，Ａ３の前面を閉鎖するようになっている。なお、シャッター１６は、好ましくは、容易に上方へ移動し得るように、即ちモータ１６ｄの負荷を軽減するために、図示しないバネ等により上方に向かって付勢されている。ここで、モータ１６ｄは、公知の市販シャッター等と同様に、シャッター１６の上昇時または下降時に大きな負荷が発生した場合には、安全性を確保するために自動停止するようになっている。
【００３０】
シャッター開閉制御装置２０は、図４に示すように、シャッター検出手段としてのシャッター検出センサ２１と、制御手段としての制御回路２２と、警告手段としてのアラーム装置２３と、操作部２４と、から構成されている。シャッター検出センサ２１は、例えば図５に示すように、リミットスイッチとして構成されており、そのアクチュエータ２１ａが、ガイド溝１１ｃ，１１ｄに沿って下降するシャッター１６で押動されることによって、シャッター１６を検出する。なお、シャッター検出センサ２１としては、リミットスイッチに限定されることなく、シャッターを検出できるものであれば、任意の他の形式のシャッター検出センサ、例えば透過型フォトカプラ，反射型フォトカプラや静電センサ等を使用してもよい。
【００３１】
ここで、シャッター検出センサ２１は、シャッター１６を検出すべき棚Ａ２，Ａ３毎にそれぞれ設けられており、図示の場合、各棚Ａ２，Ａ３にて、その上端付近に配置されている。これにより、シャッター検出センサ２１は、それぞれ棚Ａ２，Ａ３にてその前面がシャッター１６により閉じかけた状態を検出することができる。
【００３２】
また、制御回路２２は、家電収納キャビネット１０の適宜の位置、図示の場合には、底板１３の下側で台輪１３ａ内に配置されていて、図４に示すように、各シャッター検出センサ２１から入力される検出信号と各電源コンセント１９ａ，１９ｂに設けられた家電使用センサ１９ｃ，１９ｄの検出信号とに基づいて、前述したシャッター１６のモータ１６ｄ及びアラーム装置２３を制御する。
【００３３】
具体的には、この制御回路２２は、各棚Ａ２，Ａ３に備えられた電源コンセント１９ａ，１９ｂにて家電製品の使用が検出されたとき、まずアラーム装置２３に対して制御信号を送出し、その後モータ１６ｄに対してシャッター開放のための駆動制御信号を送出する。これにより、アラーム装置２３が動作し、続いてモータ１６ｄが作動して、シャッター１６が開放されることになる。
【００３４】
ここで、アラーム装置２３は、家電収納キャビネット１０のシャッター１６の閉鎖時でも露出するように、例えば図示の場合には、棚Ａ３及び棚Ａ４の間にて前面に設けられている。図示の場合、アラーム装置２３は、警告灯２３ａと警告ブザー２３ｂとを含んでおり、制御回路２２から制御信号が入力されたとき、所定時間の間、警告灯２３ａが点灯または点滅し、警告ブザー２３ｂが鳴る。
【００３５】
操作部２４は、例えば家電収納キャビネット１０の外側の使用者が操作しやすい場所、例えば上述したアラーム装置２３に隣接して、棚Ａ３とＡ４の間の前面に配置され、使用者が操作することにより、シャッター１６のモータ１６ｄを駆動させて、シャッター１６の開閉を行なうことができる。図示の場合、操作部２４は、操作ボタン２４ａを操作することで開放信号を制御回路２２に送出し、操作ボタン２４ｂを操作することで閉鎖信号を制御回路２２に送出する。これにより、制御回路２２は、操作部２４からの開放信号を受け取ったとき、アラーム装置２３を作動させた後、モータ１６ｄを駆動させてシャッター１６を開放する。
また、制御回路２２は、操作部２４からの閉鎖信号を受け取ったときは、シャッター検出センサ２１及び家電使用センサ１９ｃ，１９ｄからの検出信号に基づいてシャッター開放及び家電不使用を確認する。そして、シャッター開放及び家電不使用を確認した場合は、アラーム装置２３を作動させた後にモータ１６ｄを駆動させて、シャッター１６を閉鎖する。
【００３６】
本発明の第一の実施形態による家電収納キャビネット１０は以上のように構成されており、シャッター１６は通常は開放されていて、各棚Ａ１，Ａ２，Ａ３は前面が開放して内部が見えるようになっている。そして、例えば棚Ａ２内にはコーヒーメーカーが収納され、また棚Ａ３内には電気ポット及び電気炊飯器が収納され、それぞれ電源コードが電源コンセント１９ａ，１９ｂに接続される。
【００３７】
この状態から、例えば電気炊飯器の電源がオンされると、制御回路２２を介して電源コンセント１９ｂから電気炊飯器に給電が行なわれ、電気炊飯器が動作する。そして、家電使用センサ１９ｄが電源コンセント１９ｂの電流を感知して家電使用を検出することで、送風装置７が動作を開始する。
また、シャッター１６の下端１６ｂが下方へ移動されると、図３に示すように、シャッター１６が棚Ａ１〜Ａ３を閉鎖することになり、例えば不意の来客時等に、棚Ａ１〜Ａ３の雑然とした内部を隠蔽することができる。
【００３８】
家電収納キャビネット１０のシャッター開閉制御装置２０は、図６のフローチャートに従って以下のように動作する。
まず、ステップＳ１にて、制御回路２２は操作部２４からの操作信号をチェックする。ステップＳ１にて操作部２４から操作信号が入力されていない場合には、制御回路２２は、ステップＳ２にて棚Ａ２の家電使用センサ１９ｃからの検出信号に基づいて棚Ａ２における家電製品の使用をチェックする。
【００３９】
ステップＳ２にて家電製品が使用されている場合には、制御回路２２は、ステップＳ３にて棚Ａ２のシャッター検出センサ２１の検出信号に基づいて当該棚Ａ２のシャッター開放をチェックする。
ステップＳ３にて当該棚Ａ２のシャッターが閉じている場合には、制御回路２２はステップＳ４にてアラーム装置２３を作動させ、続いてステップＳ５にてモータ１６ｄを駆動してシャッター１６を開放し、ステップＳ１に戻る。なお、ステップＳ３にてシャッター１６が開放している場合には、制御回路２２は、棚Ａ２，Ａ３にてシャッター開放と判断し、そのままステップＳ１に戻る。
【００４０】
ステップＳ２にて当該棚Ａ２にて家電製品が不使用である場合には、制御回路２２は、ステップＳ６にて、棚Ａ３の家電使用センサ１９ｄからの検出信号に基づいて棚Ａ３における家電製品の使用をチェックする。
ステップＳ６にて家電製品が使用されている場合には、制御回路２２は、ステップＳ７にて、棚Ａ３のシャッター検出センサ２１の検出信号に基づいて当該棚Ａ３のシャッター開放をチェックする。
【００４１】
ステップＳ７にて当該棚Ａ３のシャッターが閉じている場合には、制御回路２２は、ステップＳ８にてアラーム装置２３を作動させ、続いてステップＳ９にてモータ１６ｄを駆動してシャッター１６を開放し、ステップＳ１に戻る。この場合、ステップＳ９におけるシャッター１６の開放の際に、制御回路２２は、図１に示すシャッター１６の全開状態までシャッター１６を開放してもよく、また棚Ａ３のみを開放する状態まで、即ち棚Ａ３のシャッター検出センサ２１がシャッター開放を検出するまでシャッター１６を開放するようにしてもよい。
【００４２】
なお、ステップＳ７にてシャッター１６が開放している場合には、制御回路２２は、棚Ａ２，Ａ３にてシャッター開放と判断し、そのままステップＳ１に戻る。ステップＳ６にて当該棚Ａ３にて家電製品が不使用である場合には、制御回路２２は、ステップＳ１に戻る。
このようにして、家電使用に連動したシャッターの自動開放が行なわれる。
【００４３】
また、上述したステップＳ１にて、操作部２４から操作信号が入力されている場合、手動操作によるシャッターの開閉が行なわれる。即ち、ステップＳ１０にて、制御回路２２は、操作部２４からの操作信号が開放信号か閉鎖信号かを判定する。そして、開放信号である場合には、制御回路２２は、ステップＳ１１にて棚Ａ２のシャッター検出センサ２１からの信号に基づいて当該棚Ａ２のシャッター開放のチェックを行なう。ステップＳ１１にてシャッター１６が開放している場合には、制御回路２２は、棚Ａ２，Ａ３にてシャッター開放と判断し、そのままステップＳ１に戻る。
ステップＳ１１にて当該棚Ａ２のシャッターが閉じている場合には、制御回路２２は、ステップＳ１２にてアラーム装置２３を作動させ、続いてステップＳ１３にてモータ１６ｄを駆動してシャッター１６を開放し、ステップＳ１に戻る。
【００４４】
ステップＳ１０にて操作部２４からの操作信号が閉鎖信号である場合には、制御回路２２は、ステップＳ１４にて棚Ａ２のシャッター検出センサ２１からの信号に基づいて当該棚Ａ２のシャッター開放のチェックを行なう。ステップＳ１４にてシャッター１６が開放している場合には、制御回路２２は、棚Ａ２，Ａ３にてシャッター開放と判断し、ステップＳ１５にて棚Ａ２，Ａ３における家電製品の使用をチェックする。そして、ステップＳ１５にて家電製品が使用されている場合には、制御回路２２は棚Ａ２またはＡ３にて家電使用と判断して、ステップＳ１に戻る。また、ステップＳ１５にて家電不使用の場合には、制御回路２２はステップＳ１６にてアラーム装置２３を作動させ、続いてステップＳ１７にてモータ１６ｄを駆動してシャッター１６を閉鎖し、ステップＳ１に戻る。
【００４５】
ステップＳ１４にて当該棚Ａ２のシャッターが閉じている場合には、制御回路２２は、ステップＳ１８にて棚Ａ３におけるシャッター開閉をチェックする。そして、棚Ａ３にてシャッターが開放している場合には、制御回路２２は棚Ａ３にてシャッター開放と判断して、ステップＳ１９にて棚Ａ２，Ａ３における家電製品の使用をチェックする。ステップＳ１９にて、家電製品が使用されている場合には、制御回路２２は棚Ａ３にて家電使用と判断して、ステップＳ１に戻る。また、ステップＳ１９にて家電不使用の場合には、制御回路２２はステップＳ２０にてアラーム装置２３を作動させ、続いてステップＳ２１にてモータ１６ｄを駆動してシャッター１６を閉鎖し、ステップＳ１に戻る。
このようにして、手動操作によるシャッターの開閉が行なわれる。
【００４６】
ところで、家電使用によるシャッターの自動開放後に、家電製品が不使用となった場合には、制御回路２２は、シャッターを閉鎖して元の状態に戻すようにしてもよい。この場合、制御回路２２は、図６のフローチャートにおけるステップＳ６にて家電不使用を検出したときシャッター１６の開放をチェックし、シャッター１６が開放している場合にはアラーム装置２３を作動させ、その後にモータ１６ｄを駆動してシャッター１６を閉鎖するようにすればよい。
【００４７】
なお、このようにして、シャッター１６を再閉鎖した場合には、シャッター再閉鎖の旨を表示する表示部を家電収納キャビネット１０の前面の見易い場所に設けて、この表示部によりシャッター再閉鎖の旨を表示するようにしてもよい。これにより、使用者は、この表示部を視認することで、家電使用によりシャッターが自動開放されその後閉鎖されたことを認識することができる。さらに、シャッター再閉鎖の際に、表示部にシャッター再閉鎖の旨を表示するだけではなく、シャッター自動開放により使用された家電製品が接続されている電源コンセント１９ａ，１９ｂを識別できるように、当該電源コンセント１９ａ，１９ｂに隣接して設けられた表示灯の点灯表示等の表示を行なうようにしてもよい。
【００４８】
このようにして、家電製品、特に電気炊飯器などの水蒸気を発生する家電製品の使用を開始した場合、シャッター１６が自動的に開放されるので、シャッターにより閉鎖された棚Ａ２，Ａ３内に家電製品の使用により水蒸気が溜ったり、結露したり或いはカビが発生することが効果的に防止される。
【００４９】
本発明はその趣旨を逸脱しない範囲で様々な形態で実施することができる。例えば、家電使用センサ１９ｃ，１９ｄとして電流センサに代えて、家電製品の使用時に発生する熱や水蒸気を検出する温度センサ又は湿度センサを利用することも可能である。これにより、家電製品使用時には、家電製品の発熱による温度上昇を温度センサにより検出し、あるいは水蒸気による湿度上昇を湿度センサにより検出することで、家電製品の使用を検出することができる。
【００５０】
さらに、上述した実施形態においては、棚Ａのうち、最下段の棚Ａ４は通常の扉付きの収納棚として構成されているが、これに限らず、システムキッチンで一般的に採用されている引出しを有する収納棚，扉無しの収納棚等の任意の形式の収納棚として構成されていてもよい。
【図面の簡単な説明】
【００５１】
【図１】本発明による家電収納キャビネットの第一の実施形態の構成を示す概略斜視図である。
【図２】図１に示す家電収納キャビネットの縦断面図である。
【図３】図１に示す家電収納キャビネットのシャッター閉鎖状態の概略斜視図である。
【図４】図１に示す家電収納キャビネットの電気的構成のブロック図である。
【図５】図１に示す家電収納キャビネットのシャッター検出手段の部分拡大図である。
【図６】図１に示す家電収納キャビネットのシャッター開閉制御装置の動作のフローチャートである。
【図７】従来の家電収納キャビネットの一例の構成を示す概略斜視図である。
【図８】図７の家電収納キャビネットの縦断面図である。
【符号の説明】
【００５２】
７      送風装置
１０    家電収納キャビネット
１１ａ，１１ｂ  側板
１２    天板
１３    底板
１４    背板
１５    棚板
１６    シャッター
１６ｄ  モータ（駆動手段）
１７    扉
１９ａ，１９ｂ  電源コンセント
１９ｃ，１９ｄ  家電使用センサ
２０    シャッター開閉制御装置
２１    シャッター検出センサ
２２    制御回路
２３    アラーム装置
２３ａ  警告灯
２３ｂ  警告ブザー
２４    操作部
２４ａ，２４ｂ  操作ボタン
【図１】
0004814696.tif 000002
【図２】
0004814696.tif 000003
【図３】
0004814696.tif 000004
【図４】
0004814696.tif 000005
【図５】
0004814696.tif 000006
【図６】
0004814696.tif 000007
【図７】
0004814696.tif 000008
【図８】
0004814696.tif 000009